(57)【要約】【課題】自己で撮影した撮影画像と他のデジタルカメラで撮影した撮影画像とを容易に識別可能に表示する。【解決手段】内部記憶装置２は、デジタルカメラを識別するためのカメラＩＤ毎に、デジタルカメラ毎に異なるエフェクト種別を対応付けたエフェクト種別情報２２を記憶する。ＣＰＵ８は、カメラ装置３による撮影動作時に、通信装置８により、他のデジタルカメラからの転送要求に応じて画像データを受信すると、エフェクト種別情報２２に基づいて、デジタルカメラ毎に設定されているエフェクト効果を施して、表示装置４に表示されているスルー画像に代えて再生する。【選択図】図１
2010239382.tif 000002
【特許請求の範囲】
【請求項１】
撮像手段と、
前記撮像手段により取り込まれる画像をスルー表示する表示手段と、
他の撮像装置からの画像データを受信する受信手段と、
前記撮像手段により取り込まれる画像を前記表示手段にスルー表示しているとき、前記受信手段により他の撮像装置から画像を受信すると、該受信した画像データを、前記表示手段に割り込み表示させる表示制御手段と
を備えることを特徴とする撮像装置。
【請求項２】
前記受信手段は、
無線通信を利用し、通信可能な距離にある他の撮像装置から画像データを受信することを特徴とする請求項１記載の撮像装置。
【請求項３】
前記表示制御手段は、
他の撮像装置から画像を受信すると、前記撮像手段により取り込まれる画像に代えて、受信した画像データを前記表示手段に一定時間表示させた後、再び、前記撮像手段により取り込まれる画像のスルー表示に復帰させることを特徴とする請求項１記載の撮像装置。
【請求項４】
自己の撮像装置が撮影準備段階にあるか否かを判断する判断手段と、
前記判断手段により撮影準備段階にあると判断されているときには、前記表示制御手段により他の撮像装置から受信した画像データが割り込み表示されることを制限する制限手段と、
を更に備えたことを特徴とする請求項１記載の撮像装置。
【請求項５】
複数の撮像装置の各々に対して、それぞれの撮像装置の画像に対する割り込み表示する際のエフェクト種別を対応付けて記憶するエフェクト種別情報記憶手段を更に備え、
前記表示制御手段は、
前記受信手段により他の撮像装置から画像を受信すると、前記エフェクト種別情報記憶手段に記憶されている、該当撮像装置に対応するエフェクト種別に基づくエフェクトを施しながら、前記他の撮像装置からの画像を前記表示手段に割り込み表示させることを特徴とする請求項１乃至４のいずれかに記載の撮像装置。
【請求項６】
自己の撮像装置で撮影した複数の画像を前記表示手段で再生する際、前記受信手段により他の撮像装置からの複数の画像を一括受信する受信制御手段と、
前記受信手段により受信した前記他の撮像装置からの複数の画像と自己の撮像装置で撮影された複数の画像とを、撮影に用いた撮像装置の区別無く、所定の基準に基づく順番で、前記エフェクト種別情報記憶手段に記憶されている、各画像を撮影した撮像装置に対応するエフェクト種別に基づくエフェクトを施しながら、スライドショー形態で再生表示させるスライドショー表示制御手段と
を更に備えることを特徴とする請求項５記載の撮像装置。
【請求項７】
前記他の撮像装置の画像を再生表示させる際のエフェクトに加えて、撮像装置毎に異なる音声を各画像の再生表示中に同時再生する音声再生手段を更に備えることを特徴とする請求項５または６に記載の撮像装置。
【請求項８】
自己の撮像装置のエフェクト種別を決定するエフェクト種別決定手段と、
前記エフェクト種別決定手段により決定したエフェクト種別を、撮影画像とともに画像転送先の撮像装置へ転送する転送手段と
を更に備えることを特徴とする請求項５乃至７のいずれかに記載の撮像装置。
【請求項９】
前記転送手段は、
前記エフェクト種別決定手段により決定したエフェクト種別を、撮影画像に施してから前記画像転送先の撮像装置へ転送することを特徴とする請求項８記載の撮像装置。
【請求項１０】
前記転送手段は、
自己の撮像装置で前記撮像手段による撮影が行われた場合に、その撮影タイミングで、近くに存在する他の撮像装置へ自己の撮影画像を送信することを特徴とする請求項８または９に記載の撮像装置。
【請求項１１】
前記表示制御手段は、
他の撮像装置から画像転送割り込み要求があった際に、自己の撮像装置がシャッタ半押し状態、あるいは、自動撮影条件を満足しつつある状態である場合には、他の撮像装置からの画像を表示しないか、または前記撮像手段により取り込まれる画像を前記表示手段の一部に縮小表示させることを特徴とする請求項１乃至１０のいずれかに記載の撮像装置。
【請求項１２】
他の撮像装置からの画像転送割り込み要求があった際に、前記撮像手段により動画撮影中であった場合には、他の撮像装置からの画像を表示することなく、画像送信割り込みがあったことを報知する報知手段を更に備えることを特徴とする請求項１乃至１１のいずれかに記載の撮像装置。
【請求項１３】
撮像部により取り込まれる画像を表示部にスルー表示する再生方法であって、
他の撮像装置からの画像を受信するステップと、
前記撮像部により取り込まれる画像を前記表示部にスルー表示しているとき、前記他の撮像装置から画像を受信すると、該受信した画像を、前記表示部に割り込み表示させるステップと
を含むことを特徴とする再生方法。
【請求項１４】
撮像部により取り込まれる画像を表示部にスルー表示する撮像装置のコンピュータに、
他の撮像装置からの画像を受信する受信機能、
前記撮像部により取り込まれる画像を前記表示部にスルー表示しているとき、前記他の撮像装置から画像を受信すると、該受信した画像を、前記表示部に割り込み表示させる表示制御機能
を実行させることを特徴とするプログラム。
【発明の詳細な説明】
【技術分野】
【０００１】
本発明は、撮像装置、再生方法、およびプログラムに関する。
【背景技術】
【０００２】
従来、デジタルカメラ同士で撮影画像を転送し、自己のデジタルカメラで撮影した撮影画像に加えて、他のデジタルカメラで撮影した撮影画像を再生する技術が提案されている（例えば、特許文献１、２、３参照）。
【先行技術文献】
【特許文献】
【０００３】
【特許文献１】特開２００９−０６５４４８号公報
【特許文献２】特開平８−８４２８２号公報
【特許文献３】特開平９−２８４６９６号公報
【発明の概要】
【発明が解決しようとする課題】
【０００４】
しかしながら、上記従来技術では、どのデジタルカメラで撮影した撮影画像であるかを区別することなく再生していたため、特に、複数のデジタルカメラから画像データが転送された場合には、自身で撮影した画像であるのか、他のデジタルカメラで撮影した画像であるか、他のデジタルカメラのどれで撮影した画像であるのかを識別できないという問題があった。
【０００５】
そこで本発明は、複数の撮影画像の各々について、各撮影画像の撮影元となったデジタルカメラを容易に識別することができる撮像装置、再生方法、およびプログラムを提供することを目的とする。
【課題を解決するための手段】
【０００６】
上記目的達成のため、請求項１記載の発明は、撮像手段と、前記撮像手段により取り込まれる画像をスルー表示する表示手段と、他の撮像装置からの画像データを受信する受信手段と、前記撮像手段により取り込まれる画像を前記表示手段にスルー表示しているとき、前記受信手段により他の撮像装置から画像を受信すると、該受信した画像データを、前記表示手段に割り込み表示させる表示制御手段とを備えることを特徴とする撮像装置である。
【０００７】
また、好ましい態様として、例えば請求項２記載のように、請求項１記載の撮像装置において、前記受信手段は、無線通信を利用し、通信可能な距離にある他の撮像装置から画像データを受信することを特徴とする。
【０００８】
また、好ましい態様として、例えば請求項３記載のように、請求項１記載の撮像装置において、前記表示制御手段は、他の撮像装置から画像を受信すると、前記撮像手段により取り込まれる画像に代えて、受信した画像データを前記表示手段に一定時間表示させた後、再び、前記撮像手段により取り込まれる画像のスルー表示に復帰させることを特徴とする。
【０００９】
また、好ましい態様として、例えば請求項４記載のように、請求項１記載の撮像装置において、自己の撮像装置が撮影準備段階にあるか否かを判断する判断手段と、前記判断手段により撮影準備段階にあると判断されているときには、前記表示制御手段により他の撮像装置から受信した画像データが割り込み表示されることを制限する制限手段と、を更に備えたことを特徴とする。
【００１０】
また、好ましい態様として、例えば請求項５記載のように、請求項１乃至４のいずれかに記載の撮像装置において、複数の撮像装置の各々に対して、それぞれの撮像装置の画像に対する割り込み表示する際のエフェクト種別を対応付けて記憶するエフェクト種別情報記憶手段を更に備え、前記表示制御手段は、前記受信手段により他の撮像装置から画像を受信すると、前記エフェクト種別情報記憶手段に記憶されている、該当撮像装置に対応するエフェクト種別に基づくエフェクトを施しながら、前記他の撮像装置からの画像を前記表示手段に割り込み表示させることを特徴とする。
【００１１】
また、好ましい態様として、例えば請求項６記載のように、請求項５記載の撮像装置において、自己の撮像装置で撮影した複数の画像を前記表示手段で再生する際、前記受信手段により他の撮像装置からの複数の画像を一括受信する受信制御手段と、前記受信手段により受信した前記他の撮像装置からの複数の画像と自己の撮像装置で撮影された複数の画像とを、撮影に用いた撮像装置の区別無く、所定の基準に基づく順番で、前記エフェクト種別情報記憶手段に記憶されている、各画像を撮影した撮像装置に対応するエフェクト種別に基づくエフェクトを施しながら、スライドショー形態で再生表示させるスライドショー表示制御手段とを更に備えることを特徴とする。
【００１２】
また、好ましい態様として、例えば請求項７記載のように、請求項５または６に記載の撮像装置において、前記他の撮像装置の画像を再生表示させる際のエフェクトに加えて、撮像装置毎に異なる音声を各画像の再生表示中に同時再生する音声再生手段を更に備えることを特徴とする。
【００１３】
また、好ましい態様として、例えば請求項８記載のように、請求項５乃至７のいずれかに記載の撮像装置において、自己の撮像装置のエフェクト種別を決定するエフェクト種別決定手段と、前記エフェクト種別決定手段により決定したエフェクト種別を、撮影画像とともに画像転送先の撮像装置へ転送する転送手段とを更に備えることを特徴とする。
【００１４】
また、好ましい態様として、例えば請求項９記載のように、請求項８記載の撮像装置において、前記転送手段は、前記エフェクト種別決定手段により決定したエフェクト種別を、撮影画像に施してから前記画像転送先の撮像装置へ転送することを特徴とする。
【００１５】
また、好ましい態様として、例えば請求項１０記載のように、請求項８または９に記載の撮像装置において、前記転送手段は、自己の撮像装置で前記撮像手段による撮影が行われた場合に、その撮影タイミングで、近くに存在する他の撮像装置へ自己の撮影画像を送信することを特徴とする。
【００１６】
また、好ましい態様として、例えば請求項１１記載のように、請求項１乃至１０のいずれかに記載の撮像装置において、前記表示制御手段は、他の撮像装置から画像転送割り込み要求があった際に、自己の撮像装置がシャッタ半押し状態、あるいは、自動撮影条件を満足しつつある状態である場合には、他の撮像装置からの画像を表示しないか、または前記撮像手段により取り込まれる画像を前記表示手段の一部に縮小表示させることを特徴とする。
【００１７】
また、好ましい態様として、例えば請求項１２記載のように、請求項１乃至１１のいずれかに記載の撮像装置において、他の撮像装置からの画像転送割り込み要求があった際に、前記撮像手段により動画撮影中であった場合には、他の撮像装置からの画像を表示することなく、画像送信割り込みがあったことを報知する報知手段を更に備えることを特徴とする。
【００１８】
また、上記目的達成のため、請求項１３記載の発明は、撮像部により取り込まれる画像を表示部にスルー表示する再生方法であって、他の撮像装置からの画像を受信するステップと、前記撮像部により取り込まれる画像を前記表示部にスルー表示しているとき、前記他の撮像装置から画像を受信すると、該受信した画像を、前記表示部に割り込み表示させるステップとを含むことを特徴とする再生方法である。
【００１９】
また、上記目的達成のため、請求項１４記載の発明は、撮像部により取り込まれる画像を表示部にスルー表示する撮像装置のコンピュータに、他の撮像装置からの画像を受信する受信機能、前記撮像部により取り込まれる画像を前記表示部にスルー表示しているとき、前記他の撮像装置から画像を受信すると、該受信した画像を、前記表示部に割り込み表示させる表示制御機能を実行させることを特徴とするプログラムである。
【発明の効果】
【００２０】
この発明によれば、自己で撮影した撮影画像と他の複数の撮影画像の各々について、各撮影画像の撮影元となったデジタルカメラを容易に識別することができるという利点が得られる。
【図面の簡単な説明】
【００２１】
【図１】本発明の第１実施形態によるデジタルカメラの構成を示すブロック図である。
【図２】本第１実施形態のエフェクト識別情報２２を示す概念図である。
【図３】本第１実施形態の撮影モード処理の動作を説明するためのフローチャートである。
【図４】本第１実施形態の再生モード処理の動作を説明するためのフローチャートである。
【図５】本第１実施形態の再生モード処理の動作を説明するためのフローチャートである。
【図６】本第２実施形態による撮影モード処理の動作（一部）を説明するためのフローチャートである。
【発明を実施するための形態】
【００２２】
以下、本発明の実施の形態を、図面を参照して説明する。
【００２３】
Ａ．第１実施形態
Ａ−１．第１実施形態の構成
図１は、本発明の第１実施形態によるデジタルカメラの構成を示すブロック図である。図において、入力装置１は、シャッタボタン、十字キー、機能選択ボタンなどの複数のボタンスイッチからなる。内部記憶装置２は、ＲＯＭ、ＲＡＭなどからなり、所定のプログラムや、データなどを記憶する。特に、本実施形態では、カメラ装置３で撮影された画像データや、他のデジタルカメラから転送されてきた画像データなどを含む画像データ２１、及びデジタルカメラを識別するためのカメラＩＤ毎のエフェクト種別情報２２が記憶される。エフェクト種別情報２２は、転送元のデジタルカメラ毎に予め設定した、そのデジタルカメラで撮影された画像データを再生する際に適用するエフェクト種別である。
【００２４】
カメラ装置３は、光学レンズ、撮像素子、ドライバなどからなり、撮像した映像を取り込む。表示装置４は、液晶表示器などからなり、撮影時のスルー画像や、撮影後の撮像画像、各種メニュー、撮影パラメータなどを表示する。音声入出力装置５は、マイク、スピーカ、音声処理部などからなり、外部の音声をマイクから入力するとともに、音声データをＤＡ変換してスピーカから出力する。外部記憶装置６は、ＳＤスロットなどの外部記憶媒体を装着するためのインターフェースを備えており、外部記憶媒体との間でデータの授受を行う。外部記憶媒体には、撮像画像などが所定のフォーマットで保存される。ストロボ発光装置７は、露出不足を補うための発光手段である。通信装置８は、無線、赤外線などを用いて、他のデジタルカメラで撮影した画像データを送受信する。
【００２５】
ＣＰＵ８は、所定のプログラムを実行し、上述した各部の動作を制御する。特に、本実施形態では、撮影動作時に、他のデジタルカメラからの転送要求に応じて、他のデジタルカメラからの画像データを受信すると、デジタルカメラ毎に設定されているエフェクト種別に基づくエフェクト効果を施して再生する処理や、再生動作時に、予め登録されているデジタルカメラから画像データを受信し、どのデジタルカメラからの画像データであるかを識別可能に時系列で再生する処理などを行う。
【００２６】
図２は、本第１実施形態のエフェクト識別情報２２を示す概念図である。本第１実施形態では、図２に示すように、他のデジタルカメラを識別するカメラＩＤ毎に、そのカメラで撮影された画像データを再生する際に適用するエフェクト種別が対応付けて予め設定されたテーブルを有する。エフェクト種別は、一例であり、ユーザにより任意に変更可能となっている。
【００２７】
Ａ−２．第１実施形態の動作
次に、上述した第１実施形態の動作について説明する。
【００２８】
＜撮影モード処理＞
図３は、本第１実施形態の撮影モード処理の動作を説明するためのフローチャートである。ユーザにより撮影モードが選択されると、まず、モニタ表示動作を開始する（ステップＳ１０）。次に、シャッタが押下されたか否かを判断し（ステップＳ１２）、シャッタが押下されると、記録用の静止画を撮像し（ステップＳ１４）、モニタ画像に代えて、該静止画を一定時間プレビュー表示し（ステップＳ１６）、該静止画を記録保存する（ステップＳ１８）。次に、通信可能な他のデジタルカメラがあるか否かを判断し（ステップＳ２０）、他のデジタルカメラがある場合には、他のデジタルカメラに対して上記静止画を送信する（ステップＳ２２）。
【００２９】
その後、あるいはステップＳ１２でシャッタが押下されない場合、あるいは通信可能な他のデジタルカメラがない場合には、他のデジタルカメラからの画像転送要求があったか否かを判断する（ステップＳ２４）。そして、他のデジタルカメラからの画像転送要求があった場合には、他のデジタルカメラのＩＤ情報を受信し（ステップＳ２６）、次いで、他のデジタルカメラから新たな画像データを受信する（ステップＳ２８）。次に、予めカメラＩＤ毎に設定されているエフェクト種別を取得し（ステップＳ３０）、該エフェクト種別に対応するフェードインエフェクトおよびフェードアウトエフェクトを施しながらモニタ画像に代えて受信画像を一定時間表示する（ステップＳ３２）。
【００３０】
一方、他のデジタルカメラから画像転送要求がない場合には、上述したステップＳ２６〜Ｓ３２を実行することなく、ステップＳ３４に進む。上述した他のデジタルカメラからの画像データの表示終了後、あるいは他のデジタルカメラから画像転送要求がない場合には、撮影モードが終了したか否かを判断し（ステップＳ３４）、撮影モードが終了していない場合には、ステップＳ１２に戻り、上述した処理を繰り返す。一方、撮影モードが終了した場合には、モニタ表示動作を終了し（ステップＳ３６）、当該処理を終了する。
【００３１】
なお、通信可能な他のデジタルカメラがあることの判断や、他のデジタルカメラからの画像転送要求があったことの判断は、無線電波や赤外線電波が届く距離に、画像転送機能を備えた他のデジタルカメラが存在し、通信接続を確立できた場合に行われる。
【００３２】
これにより、ユーザは、撮影モード動作中に、他のデジタルカメラで撮影された画像データを確認することができ、また、カメラ毎に異なるエフェクト効果で表示されるので、どのカメラ（撮影者）で撮影された画像であるかを容易に識別することができる。つまり、ユーザは、他のデジタルカメラで撮影された画像データを確認することにより、既に他のデジタルカメラで撮影された被写体や、構図、映像効果などを知ることができるので、同じような構図や、映像効果を用いずに、オリジナリティを考慮して、被写体や、構図、映像効果などを変えて撮影することができる。
【００３３】
＜再生モード処理＞
図４および図５は、本第１実施形態の再生モード処理の動作を説明するためのフローチャートである。ユーザにより再生モードが選択されると、まず、通信可能な状態にある、または複数のデジタルカメラを特定する（ステップＳ４０）。次に、カメラグループが予め登録されているか否かを判断し（ステップＳ４２）、カメラグループが登録されている場合には、通信可能な状態にあるデジタルカメラの中から、カメラグループに登録されているデジタルカメラを選択する（ステップＳ４４）。次に、選択されたデジタルカメラのうち、画像転送が未処理のデジタルカメラを１つ選択する（ステップＳ４８）。上記カメラグループとは、周辺に全く関係のないデジタルカメラが存在する場合を想定し、全く関係のないデジタルカメラからの画像を受信しないようにするために設けられている。
【００３４】
一方、カメラグループが登録されていない場合には、通信可能な状態にある全てのデジタルカメラを選択し（ステップＳ４６）、複数のデジタルカメラのうち、画像転送が未処理のデジタルカメラを１つ選択する（ステップＳ４８）。
【００３５】
次に、撮影期間が指定されているか否かを判断し（ステップＳ５０）、撮影期間が指定されている場合には、選択されたデジタルカメラに対して、指定された期間内に撮影された画像の転送要求を行い（ステップＳ５２）、要求に応じて転送されてきた複数画像に転送元のカメラＩＤを付加して、内部記憶装置（メモリ）２内のスライドショー対象画像用フォルダに保存する（ステップＳ５６）。
【００３６】
一方、撮影期間が指定されていない場合には、選択されたデジタルカメラに対して公開可能な全ての画像の転送要求を行い（ステップＳ５４）、要求に応じて転送されてきた複数画像に転送元のカメラＩＤを付加して、内部記憶装置（メモリ）２内のスライドショー対象画像用フォルダに保存する（ステップＳ５６）。
【００３７】
次に、画像転送が未処理のデジタルカメラがあるか否かを判断し（ステップＳ５８）、未処理のデジタルカメラがある場合には、ステップＳ４８へ戻り、次のデジタルカメラに対して上述した処理を繰り返し、順次、通信可能な状態にあるデジタルカメラから、期間内に撮影された画像、あるいは全ての画像を受信して、転送元のカメラＩＤを付加して、内部記憶装置（メモリ）２内のスライドショー対象画像用フォルダに保存していく。
【００３８】
一方、通信可能な状態にあるデジタルカメラ全てに対して処理が終了すると、登録されたカメラグループに自カメラが含まれる場合には、同様にして、自カメラの撮影画像をメモリ内のスライドショー対象画像用フォルダへ移動（または、コピー）し（ステップＳ６０）、スライドショー対象画像用フォルダ内の画像を撮影日時の順に並べ替える（ステップＳ６２）。
【００３９】
次に、未再生の画像を１つ選択し（ステップＳ６４）、当該画像のカメラＩＤに対するエフェクト種別を取得し（ステップＳ６６）、該エフェクト種別に対応するフェードインエフェクトおよびフェードアウトエフェクトを施しながら、該画像を一定時間表示する（ステップＳ６８）。次に、スライドショー対象画像用フォルダ内に未再生の画像があるか否かを判断し（ステップＳ７０）、未再生の画像がある場合には、ステップＳ６４に戻り、スライドショー対象画像用フォルダ内の画像を撮影日時の順に、その画像の転送元のデジタルカメラに対するエフェクト種別に対応するフェードインエフェクトおよびフェードアウトエフェクトを施しながらスライドショー表示を繰り返す。そして、全ての画像の再生処理が終了すると、当該処理を終了する。
【００４０】
なお、撮影時には、他のデジタルカメラとの間で画像転送を行うために、無線電波や、赤外線電波などを利用した無線通信を用いたが、再生時には、無線通信の他、ケーブルなどの有線接続や、メモリカードなどを利用して画像を転送してもよい。
【００４１】
上述した第１実施形態によれば、誰が撮った画像なのかを視覚的、聴覚的に識別できる。また、デジタルカメラ毎にユニークなエフェクトを自動で割り付けるので、事前のユーザ入力が不要となる。
【００４２】
Ｂ．第２実施形態
次に、本発明の第２実施形態について説明する。
本第２実施形態では、図３に示す撮影モード処理において、画像を受信する側のデジタルカメラが、他のデジタルカメラから画像を受信した直後に撮影に入った場合（シャッタ押下）を想定しており、シャッタ押下直後に他のデジタルカメラからの画像を表示すると、自カメラで撮影した画像をチェックできないなどの利便性を損なう状況となるのを防ぐことを目的としている。
【００４３】
具体的には、他のデジタルカメラから画像を受信した直後にシャッタが押下された場合には、そのときの撮影状況や、設定内容に応じて、他のデジタルカメラからの画像を表示したり、画像受信のみを通知したり、あるいは画像の表示を行わないなど、動作を制御するようにしている。
【００４４】
図６は、本第２実施形態による撮影モード処理の動作（一部）を説明するためのフローチャートである。なお、図３に示すステップＳ１０〜Ｓ２２は全く同じであるので図示およびその説明を省略する。他のデジタルカメラからの画像転送要求があるか否かを判断し（ステップＳ８０）、他のデジタルカメラからの画像転送要求がある場合には、他のデジタルカメラのＩＤ情報を受信し（ステップＳ８２）、他のデジタルカメラから新たな画像データを受信し（ステップＳ８４）、次いで、予めカメラＩＤ毎に設定されているエフェクト種別を取得する（ステップＳ８６）。
【００４５】
次に、シャッタが半押しされた状態にあるか否かを判断し（ステップＳ８８）、シャッタが半押しされていない場合には、自動撮影条件を満足しつつあるか（手振れが収まってきたり、顔が検出されている場合など）否かを判断する（ステップＳ９０）。そして、まだ、自動撮影条件を満足していない場合、すなわち、実際の撮影に至らない場合には、動画撮影中であるか否かを判断し（ステップＳ９２）、動画撮影中でない場合には、該エフェクト種別に対応するフェードインエフェクトおよびフェードアウトエフェクトを施しながらモニタ画像に代えて受信画像を一定時間表示し（ステップＳ９４）、その後、図３に示すステップＳ３４以降と同様の処理を行う。
【００４６】
一方、動画撮影中であった場合には、割り込み画像の発生、すなわち、他のデジタルカメラからの画像転送を、ＬＥＤ点滅またはモニタ画像内でその旨を報知する（ステップＳ９６）。その後、図３に示すステップＳ３４以降と同様の処理を行う。
【００４７】
また、他のデジタルカメラからの画像を受信した後、シャッタが半押しされていた場合、あるいはシャッタが半押しされていないが、自動撮影条件を満足しつつある状態であった場合には、その後、数秒以内に自カメラでの撮影が実行される可能性が高いので、更に割り込み表示許可モードであるか否かを判断する（ステップＳ９８）。
【００４８】
上記割り込み表示許可モードは、予めユーザにより設定可能なモードであり、割り込み表示許可モードに設定されている場合には、自カメラでの撮影状況に関係なく、受信した他のデジタルカメラからの画像を表示し、割り込み表示許可モードに設定されていない場合には、まさに数秒以内に自カメラで撮影が実行されようとしているような状況では、受信した他のデジタルカメラからの画像を割り込み表示しない。
【００４９】
したがって、割り込み表示許可モードである場合には、受信した他のデジタルカメラからの画像を、モニタ画面の一部に受信画像を一定時間、縮小表示し（ステップＳ１００）、その後、図３に示すステップＳ３４以降と同様の処理を行う。一方、割り込み表示許可モードでない場合には、受信した他のデジタルカメラからの画像を割り込み表示することなく（ステップＳ１０２）、図３に示すステップＳ３４以降と同様の処理を行う。
【００５０】
上述した第２実施形態によれば、他のデジタルカメラから画像を受信した際に、シャッタが半押しされていたり、自動撮影条件を満足しつつある状況など、まさに数秒以内に撮影が行われる可能性が高い状況である場合（撮影準備段階にある場合）には、画像の割り込み表示を禁止したり、モニタ画面の一部に縮小表示するようにしたり、また、動画撮影中においては、画像の割り込み表示を禁止し、ＬＥＤなどにより、画像の転送要求があったことだけを知らせるようにしたので、まさに静止画の撮影が行われようとしている瞬間、または動画撮影中に他のデジタルカメラからの画像を割り込み表示させることにより、自カメラのモニタ画像をチェックできなくなるなどの利便性を損なう状況となるのを防ぐことができる。
【００５１】
なお、上述した第１、第２実施形態においては、受信側のデジタルカメラが、転送元のデジタルカメラを識別するカメラＩＤとエフェクト種別とを保持し、転送元のデジタルカメラに対応するエフェクト種別を判別するようにしたが、これに限らず、転送元のデジタルカメラからエフェクト種別を送信するようにしてもよい。
【００５２】
また、上述した第１、第２実施形態においては、転送元のデジタルカメラから転送される画像を、撮影期間で限定するか、全ての画像とするかしたが、これに限らず、転送元のデジタルカメラで転送可に設定した画像としたり、画像に付与された他のキーワードなどで絞り込むようにしてもよい。
【００５３】
また、上述した第１、第２実施形態においては、自カメラの画像、および他のデジタルカメラからの画像を、撮影日時で並び替えてスライドショー表示するようにしたが、これに限らず、他の要素の順番（画象属性など）で表示するようにしてもよい。
【００５４】
また、上述した第１、第２実施形態においては、他のデジタルカメラの画像を、自カメラのスルー画像に代えて表示する際、デジタルカメラに対応付けたエフェクト効果を施したが、これに加えて、デジタルカメラ毎に異なる音声を割り当て、デジタルカメラ毎に異なる音声を同時再生するようにしてもよい。
【符号の説明】
【００５５】
１  入力装置
２  内部記憶装置
２１  画像データ
２２  エフェクト種別情報
３  カメラ装置
４  表示装置
５  音声入出力装置
６  外部記憶装置
７  ストロボ発光装置
【図１】
2010239382.tif 000003
【図２】
2010239382.tif 000004
【図３】
2010239382.tif 000005
【図４】
2010239382.tif 000006
【図５】
2010239382.tif 000007
【図６】
2010239382.tif 000008